(57)【特許請求の範囲】
【請求項１】
空調室内ユニット（２０）及びリモコン（４０）を備えた空気調和装置であって、
前記空調室内ユニットのアドレス及び前記リモコンのアドレスを設定するアドレス設定部（６１、７１）と、
前記空調室内ユニットのアドレスと前記リモコンのアドレスとの一致及び不一致を判定するアドレス判定部（６２）と、
前記判定の結果、前記不一致の場合に報知する報知部（６３）と、
アドレス確認用操作部（４５）と、
を備え、
前記報知部は、前記アドレス確認用操作部が操作を受け付け、前記アドレス判定部での前記判定の結果、前記不一致の場合に報知し、
前記アドレス確認用操作部からの信号以外であって前記空調室内ユニットのアドレスと前記リモコンのアドレスとが不一致の場合の通常の信号を、前記空調室内ユニットが受信した場合には、前記報知部は報知しない、
空気調和装置。
【請求項２】
前記空調室内ユニットの故障診断を開始するための故障診断用操作部（４６）をさらに備え、
前記報知部は、前記故障診断用操作部が操作を受け付け、前記アドレス判定部での前記判定の結果、前記不一致の場合に報知する、
請求項１に記載の空気調和装置。
【請求項３】
前記報知部は、前記判定の結果、前記一致する場合には報知しない、
請求項１又は請求項２に記載の空気調和装置。
【請求項４】
前記アドレス判定部は、使用者の操作に基づく制御信号を前記リモコンから受け付けると、前記判定を開始する、
請求項１から請求項３のいずれか１項に記載の空気調和装置。
【請求項５】
前記アドレス判定部及び前記報知部は、前記空調室内ユニットに設けられている、
請求項１から請求項４のいずれか１項に記載の空気調和装置。
【請求項６】
前記リモコンには、前記リモコンのアドレスを含む制御信号を生成する制御信号生成部（７０）が設けられている、
請求項５に記載の空気調和装置。
【請求項７】
前記アドレス設定部は、前記空調室内ユニットに対してアドレスを設定する第１アドレス設定部（６１）と、前記リモコンに対してアドレスを設定する第２アドレス設定部（７１）を含み、
前記第１アドレス設定部は前記空調室内ユニットに設けられており、
前記第２アドレス設定部は前記リモコンに設けられている、
請求項１から請求項６のいずれか１項に記載の空気調和装置。
【発明の詳細な説明】
【技術分野】
【０００１】
本発明は、空気調和装置に関する。
【背景技術】
【０００２】
特許文献１（特開平６−８８６４１号公報）には、リモコンのアドレスと、空調室内ユニットのアドレスとが対応づけられた空気調和装置が開示されている。リモコンから送信されるアドレスと、空調室内ユニットのアドレスとが一致する場合に、空調室内ユニットはリモコンからの運転制御信号を受信できる。このような空気調和装置では、リモコン及び空調室内ユニットのアドレス設定を間違えると、リモコンのアドレスと空調室内ユニットのアドレスとが一致せず、リモコンにより空調室内ユニットを制御できない。
【０００３】
そこで、特許文献１では、アドレス設定を解除するモードを設けている。このモードに設定することで、空調室内ユニットに設定されたアドレスが解除可能となる。これにより、リモコンのアドレスと空調室内ユニットのアドレスとが一致せず、リモコンにより空調室内ユニットを制御できない場合でも、このモードに設定することで、リモコンにより空調室内ユニットを制御可能となる。
【発明の概要】
【発明が解決しようとする課題】
【０００４】
しかし、特許文献１においてアドレス設定を解除するモードにすると、複数台の空調室内ユニットを、それぞれに対応するリモコンにより個別に制御することができない。
【０００５】
そこで複数台の空調室内ユニットをそれぞれのリモコンで制御する場合には、リモコンのアドレス及び空調室内ユニットのアドレスを設定する。しかし、このアドレス設定時にリモコンのアドレスと空調室内ユニットのアドレスとの対応づけを間違うと、リモコンにより空調室内ユニットが制御できない。この場合、使用者は、空調室内ユニットが作動しないため、空調室内ユニット及びリモコンが故障していると誤認し得る。そして、空調室内ユニット及びリモコンが返品され、サービスセンターに送られ得る。結果として、空調室内ユニット及び／又はリモコンの回収費用、点検費用等に係るコスト（不良品発生に対するコスト）が増加する。よって、まずはアドレスの対応づけが正確であるかを確かめる技術が求められている。
【０００６】
そこで、本発明は、リモコンのアドレスと空調室内ユニットのアドレスとの一致又は不一致を確認できる空気調和装置を提供することを目的とする。
【課題を解決するための手段】
【０００７】
本発明の第１観点に係る空気調和装置は、空調室内ユニット及びリモコンを備えている。空気調和装置は、アドレス設定部と、アドレス判定部と、報知部と、アドレス確認用操作部とを備える。アドレス設定部は、空調室内ユニットのアドレス及びリモコンのアドレスを設定する。アドレス判定部は、空調室内ユニットのアドレスとリモコンのアドレスとの一致及び不一致を判定する。報知部は、アドレス確認用操作部が操作を受け付け、アドレス判定部での判定の結果、不一致の場合に報知する。また、報知部は、アドレス確認用操作部からの信号以外であって空調室内ユニットのアドレスとリモコンのアドレスとが不一致の場合の通常の信号を、空調室内ユニットが受信した場合には、報知しない。
【０００８】
第１観点の空気調和装置によれば、リモコンのアドレスと空調室内ユニットのアドレスとの一致又は不一致を確認するため専用の操作部として、アドレス確認用操作部が設けられ、アドレス確認用操作部の操作によって、使用者は、空調室内ユニットのアドレスとリモコンのアドレスとの不一致によって空調室内ユニットが作動しないのかどうかを確認できる。また、アドレス確認を予定していない使用者に、不要な報知を行って違和感を感じさせることを抑制できる。
【０００９】
本発明の第２観点に係る空気調和装置は、第１観点に係る空気調和装置において、空調室内ユニットの故障診断を開始するための故障診断用操作部をさらに備える。報知部は、故障診断用操作部が操作を受け付け、アドレス判定部での判定の結果、不一致の場合に報知する。
【００１０】
第２観点に係る空気調和装置によれば、故障診断用操作部は、空調室内ユニットの故障診断を開始させるためだけでなく、アドレスが不一致の場合に報知させるためにも用いられる。故障診断用操作部にアドレスの一致及び不一致の確認の機能を付加することで、故障と判断して故障診断用操作部を操作した場合でも、まずは使用者にアドレスの一致及び不一致を確認させることができる。
【００１１】
本発明の第３観点に係る空気調和装置は、第１観点又は第２観点に係る空気調和装置において、報知部は、判定の結果、一致する場合には報知しない。
【００１２】
第３観点に係る空気調和装置によれば、アドレスが一致している場合には報知が行われないため、使用者に違和感を感じさせることなく空調室内ユニットに所定の処理を実行させることができる。
【００１３】
本発明の第４観点に係る空気調和装置は、第１観点から第３観点のいずれか１つに係る空気調和装置において、アドレス判定部は、使用者の操作に基づく制御信号をリモコンから受け付けると、判定を開始する。
【００１４】
第４観点に係る空気調和装置によれば、使用者は、リモコンからの簡単な操作によって、アドレスの一致及び不一致を容易に確認することができる。
【００１５】
本発明の第５観点に係る空気調和装置は、第１観点から第４観点のいずれか１つに係る空気調和装置において、アドレス判定部及び報知部は、空調室内ユニットに設けられている。
【００１６】
第５観点に係る空気調和装置によれば、アドレスの判定、判定結果の報知部への送信及び報知部での報知という一連の処理を空調室内ユニット単体の中で完結できる。
【００１７】
本発明の第６観点に係る空気調和装置は、第５観点に係る空気調和装置において、リモコンには、リモコンのアドレスを含む制御信号を生成する制御信号生成部が設けられている。
【００１８】
第６観点に係る空気調和装置によれば、制御信号生成部は、リモコンのアドレスを含む制御信号を生成する。空調室内ユニットのアドレス判定部は、リモコンの制御信号からリモコンのアドレスを抽出し、空調室内ユニットのアドレスとリモコンのアドレスとを比較することができる。
【００１９】
本発明の第７観点に係る空気調和装置は、第１観点から第６観点のいずれかに係る空気調和装置において、アドレス設定部は、空調室内ユニットに対してアドレスを設定する第１アドレス設定部と、リモコンに対してアドレスを設定する第２アドレス設定部を含む。第１アドレス設定部は空調室内ユニットに設けられている。第２アドレス設定部はリモコンに設けられている。
【発明の効果】
【００２０】
第１観点に係る空気調和装置では、空調室内ユニットのアドレスとリモコンのアドレスとが一致しているか、不一致であるかを確認するため専用の操作部として、アドレス確認用操作部が設けられ、アドレス確認用操作部の操作によって、使用者は、空調室内ユニットのアドレスとリモコンのアドレスとの不一致によって空調室内ユニットが作動しないのかどうかを確認できる。また、アドレス確認を予定していない使用者に、不要な報知を行って違和感を感じさせることを抑制できる。
【００２１】
第２観点の空気調和装置では、故障診断用操作部の操作によって空調室内ユニットのアドレスとリモコンのアドレスとが一致しているか、不一致であるかを確認することができる。
【００２２】
第３観点の空気調和装置では、使用者に違和感を感じさせることなく空調室内ユニットに所定の処理を実行させることができる。
【００２３】
第４観点の空気調和装置では、使用者は、リモコンからの簡単な操作によって、アドレスの一致及び不一致を容易に確認することができる。
【００２４】
第５観点の空気調和装置では、アドレス確認に関する一連の処理を空調室内ユニット単体の中で完結できる。
【００２５】
第６観点の空気調和装置では、空調室内ユニットのアドレス判定部は、リモコンの制御信号からリモコンのアドレスを抽出し、空調室内ユニットのアドレスとリモコンのアドレスとを比較することができる。
【００２６】
第７観点の空気調和装置では、空調室内ユニット及びリモコンそれぞれにアドレスを設定するための設定部が設けられていてもよい。
【図面の簡単な説明】
【００２７】
【図１】本発明の一実施形態に係る空調室内ユニット２０とリモコン４０との関係を示す説明図である。
【図２】アドレスの一致又は不一致に応じた空調室内ユニット２０の制御の様子を示す概念図である。
【図３】空気調和装置１０のハードウェア構成を示すブロック図である。
【図４】空気調和装置１０のアドレス確認処理を行うための機能構成を示すブロック図である。
【図５】本実施形態に係る空気調和装置１０の処理の流れの一例を示すフローチャートである。
【発明を実施するための形態】
【００２８】
以下、図面を参照しながら、本発明の実施形態について説明する。なお、以下の実施形態は、本発明の具体例であって、本発明の技術的範囲を限定するものではない。
【００２９】
＜実施形態＞
（１）全体構成
図１は、本発明の一実施形態に係る空調室内ユニット２０とリモートコントローラ（以下、リモコンと称する）４０との関係を示す説明図である。
【００３０】
本実施形態では、複数台の空気調和装置１０（空気調和装置１０ａ、空気調和装置１０ｂ・・・）が、例えば同室内に配置されている。空気調和装置１０ａは、空調室内ユニット２０ａとリモコン４０ａとを備えている。同様に、空気調和装置１０ｂは、空調室内ユニット２０ｂとリモコン４０ｂとを備えている。図示しないその他の空気調和装置１０も同様の構成である。
【００３１】
なお、以下において、添え字“ａ”は空気調和装置１０ａの構成要素であることを意味し、添え字“ｂ”は空気調和装置１０ｂの構成要素であることを意味する。
【００３２】
空調室内ユニット２０と各リモコン４０とは対応づけられており、各空調室内ユニット２０は、それぞれ対応するリモコン４０で個別に制御される。具体的には、空調室内ユニット２０ａのアドレスと、リモコン４０ａのアドレスとが対応付けられている。同様に、空調室内ユニット２０ｂのアドレスと、リモコン４０ｂのアドレスとが対応付けられている。よって、空調室内ユニット２０ａは、リモコン４０ａからの制御信号によって制御される。また、空調室内ユニット２０ｂは、リモコン４０ｂからの制御信号によって制御される。
【００３３】
空調室内ユニット２０の前面側には、室内機側通信部３０、室内機側操作部３１、スピーカ３２及び発光部３３が設けられている。具体的には、空調室内ユニット２０ａには、室内機側通信部３０ａ、室内機側操作部３１ａ、スピーカ３２ａ及び発光部３３ａが設けられている。同様に、空調室内ユニット２０ｂには、室内機側通信部３０ｂ、室内機側操作部３１ｂ、スピーカ３２ｂ及び発光部３３ｂが設けられている。
【００３４】
空調室内ユニット２０ａの室内機側通信部３０ａは、リモコン４０ａから制御信号を受信する。
【００３５】
室内機側操作部３１ａは、運転スイッチ及びアドレス設定スイッチ等の機能を有する操作部である。例えば、室内機側操作部３１ａは、空調室内ユニット２０ａの運転及び停止を行うための運転スイッチとして用いられる。また、例えば、室内機側操作部３１ａは、空調室内ユニット２０ａのアドレス設定時に、アドレスを確定するためのアドレス設定スイッチとして用いられる。
【００３６】
スピーカ３２ａは、空調室内ユニット２０ａが対応づけられているリモコン４０ａからの制御信号を受信した場合に音を出力する。スピーカ３２ａは、例えば、対応付けられたリモコン４０ａからの制御信号に基づいて空調室内ユニット２０ａが正常に起動することを報知するための起動音を出力する。起動音としては、例えば“ピッ”、“ピッピッ”などの音が挙げられる。
【００３７】
発光部３３ａは、例えば空調室内ユニット２０ａが運転中に点灯する。その他、発光部３３ａは、後述のアドレス確認処理の場合に、空調室内ユニット２０ａが対応づけられていない例えばリモコン４０ｂからの制御信号を受信した場合等に点滅する。発光部３３ａは、例えばＬＥＤ等の発光部材により形成されている。
【００３８】
空調室内ユニット２０ｂの室内機側通信部３０ｂ、室内機側操作部３１ｂ、スピーカ３２ｂ及び発光部３３ｂも、空調室内ユニット２０ａと同様の機能を有する。
【００３９】
リモコン４０にはリモコン側通信部５０が設けられている。具体的には、リモコン４０ａにはリモコン側通信部５０ａが設けられている。同様に、リモコン４０ｂにはリモコン側通信部５０ｂが設けられている。リモコン４０は、例えば使用者の操作に応じて、リモコン４０のアドレスを含む制御信号をリモコン側通信部５０から空調室内ユニット２０に送信する。空調室内ユニット２０は、リモコン４０からのアドレスを含む制御信号を室内機側通信部３０を介して受信する。
【００４０】
図２は、アドレスの一致又は不一致に応じた空調室内ユニット２０の制御の様子を示す概念図である。図２においては、空調室内ユニット２０ａに対して、アドレスとして“アドレス１”が設定されている。対応するリモコン４０ａには、アドレスとして、空調室内ユニット２０ａと同一の“アドレス１”が設定されている。一方、空調室内ユニット２０ｂに対応するリモコン４０ｂには、アドレスとして、空調室内ユニット２０ｂと同一の“アドレス２”が設定されている。
【００４１】
ここで、リモコン４０ａが“アドレス１”を含む制御信号を空調室内ユニット２０ａに送信する。空調室内ユニット２０ａは、制御信号を受信すると、自己のアドレスとリモコン４０ａのアドレスとが一致するか否かを判断する。具体的には、空調室内ユニット２０ａは、自己の“アドレス１”と、リモコン４０ａからの制御信号に含まれる“アドレス１”と、が同一であるため、アドレスが一致すると判断する。よって、空調室内ユニット２０ａは、リモコン４０ａからの制御信号に基づいて制御される。
【００４２】
一方、リモコン４０ｂが“アドレス２”を含む制御信号を空調室内ユニット２０ａに送信する。空調室内ユニット２０ａは、自己の“アドレス１”と、リモコン４０ｂからの制御信号に含まれる“アドレス２”と、が異なるため、アドレスが不一致であると判断する。よって、空調室内ユニット２０ａは、リモコン４０ｂからの制御信号によっては制御されない。
【００４３】
なお、図示はしていないが、空調室内ユニット２０ｂは、リモコン４０ｂからの制御信号によって制御される。しかし、空調室内ユニット２０ｂは、リモコン４０ａからの制御信号によっては制御されない。
【００４４】
このようにして、各空調室内ユニット２０は、それぞれ対応するリモコン４０で個別に制御される。
【００４５】
（２）ハードウェア構成
次に、空気調和装置１０のハードウェア構成について説明する。図３は、空気調和装置１０のハードウェア構成を示すブロック図である。なお、各空気調和装置１０ａ、空気調和装置１０ｂ・・・は同一の構成であるため、１つの空気調和装置１０について説明する。まず、空調室内ユニット２０のハードウェア構成について説明する。
【００４６】
（２−１）空調室内ユニット２０
空調室内ユニット２０は、例えば、ＭＰＵ（Micro Processing Unit）２２、メモリ２３、駆動部２４、室内機側通信部３０、室内機側操作部３１、スピーカ３２及び発光部３３等を含む。室内機側操作部３１、スピーカ３２及び発光部３３については、前述の通りであるので、ＭＰＵ（Micro Processing Unit）２２、メモリ２３、駆動部２４及び室内機側通信部３０について以下に説明する。
【００４７】
（ａ）室内機側通信部３０
室内機側通信部３０は、リモコン４０との間で通信を行う。例えば、室内機側通信部３０は、リモコン４０からの制御信号を受信する。室内機側通信部３０は、例えば赤外線で送信される制御信号を受信するために、赤外線受光部（図示せず）を有している。赤外線受光部は例えばフォトトランジスタ等で構成される。ただし、室内機側通信部３０は、リモコン４０からの制御信号を受信できればよく、赤外線受光部とは異なる受信部で構成されていてもよい。
【００４８】
（ｂ）ＭＰＵ２２
ＭＰＵ２２は、後述のメモリ２３内の各種プログラム等に基づいて各種処理を行う。例えば、ＭＰＵ２２は、室内機側通信部３０が受信した制御信号を読み取り、制御信号に応じた各種処理を行う。また、例えば、ＭＰＵ２２は、室内機側操作部３１の操作に応じて、空調室内ユニット２０の運転又は停止、アドレスの確定等の各種処理を行う。また、ＭＰＵ２２は、駆動部２４を制御するためのコマンドを生成し、駆動部２４にコマンドを送信して駆動部２４を制御する。
【００４９】
（ｃ）メモリ２３
メモリ２３は、空調室内ユニット２０に設定されたアドレスを記憶している。また、メモリ２３は、ＭＰＵ２２を動作させるための各種プログラムを記憶している。例えば、メモリ２３は、ＭＰＵ２２が制御信号を読み取るためのプログラム及び各種処理を行うためのプログラム等を記憶している。メモリ２３は、例えばＲＡＭ（Random Access Memory）、ＲＯＭ（Read Only Memory）等から構成されている。
【００５０】
（ｄ）駆動部２４
駆動部２４は、ＭＰＵ２２からのコマンドに基づいて空調室内ユニット２０各部の制御を行なう。例えば、駆動部２４は、空調室内ユニット２０の運転状況に応じて発光部３３を点灯又は消灯する。例えば、駆動部２４は、空調室内ユニット２０が運転中は発光部３３を点灯し、空調室内ユニット２０が停止中は発光部３３を消灯する。また、駆動部２４は、後述のアドレス確認処理の場合に、空調室内ユニット２０に対応づけられていないリモコン４０から制御信号を受信した場合に、発光部３３を点滅させる。また、駆動部２４は、空調室内ユニット２０に対応づけられているリモコン４０から制御信号を受信した場合に、スピーカ３２から起動音等の音を出力する。また、例えば、駆動部２４は、風向調節羽根及びフィルタ等を駆動させるモータ、空調室内ユニット２０の表示装置及び空調室内ユニット２０の室内熱交換器を制御する。
【００５１】
（２−２）リモコン４０
次に、リモコン４０のハードウェア構成について説明する。
【００５２】
リモコン４０は、例えば、リモコン側操作部４１、ＭＰＵ４２、メモリ４３及びリモコン側通信部５０等を含む。
【００５３】
（ａ）リモコン側操作部４１
リモコン側操作部４１は、使用者が空調室内ユニット２０及び／又はリモコン４０に所望の動作をさせるための選択キーである。選択キーとしては、空調室内ユニット２０に所望の空調処理を行わせるための選択キーがある。また、選択キーとしては、リモコン４０及び／又は空調室内ユニット２０にアドレスを設定するためのアドレス設定操作部４４がある。その他、選択キーとしては、アドレス確認処理を行わせるためのアドレス確認用操作部４５及び故障診断用操作部４６が含まれる。アドレス確認処理とは、空調室内ユニット２０のアドレスとリモコン４０のアドレスとの一致及び不一致を判定し、不一致の場合に報知する処理である。アドレス確認用操作部４５は、アドレス確認処理専用の操作部である。故障診断用操作部４６は、アドレス確認処理を行わせるための機能だけでなく、故障診断処理を行わせるための機能も有する操作部である。リモコン側操作部４１には、アドレス確認用操作部４５及び故障診断用操作部４６のいずれか一つ又は両方が設けられる。
【００５４】
なお、リモコン側操作部４１は、例えば複数の押しボタンから構成される。その他、リモコン側操作部４１は、表示装置と一体化されたタッチパネル等で構成されてもよい。
【００５５】
（ｂ）ＭＰＵ４２
ＭＰＵ４２は、後述のメモリ４３内の各種プログラム等に基づいて各種コマンドを含む制御信号を生成する等、各種処理を行う。
【００５６】
例えば、ＭＰＵ４２は、選択されたリモコン側操作部４１に応じて制御信号を生成する。このとき、ＭＰＵ４２は、メモリ４３からリモコン４０のアドレスを読み出し、そのアドレスを含む制御信号を生成する。つまり、制御信号には、リモコン４０のアドレスと、各種コマンドとが含まれる。また、ＭＰＵ４２は、選択されたリモコン側操作部４１に応じてアドレスの設定等の各種処理を行う。また、ＭＰＵ４２は、リモコン側通信部５０を介して空調室内ユニット２０に制御信号を送信する。
【００５７】
（ｃ）メモリ４３
メモリ４３は、リモコン４０に設定されたアドレスを記憶している。また、メモリ４３は、ＭＰＵ４２を動作させるための各種プログラムを記憶している。例えば、メモリ４３は、ＭＰＵ４２が制御信号を生成するためのプログラム及び各種処理を行うためのプログラム等を記憶している。メモリ４３は、例えばＲＡＭ、ＲＯＭから構成されている。
【００５８】
（ｄ）リモコン側通信部５０
リモコン側通信部５０は、ＭＰＵ４２が生成した制御信号を空調室内ユニット２０に送信する。リモコン側通信部５０は、例えば赤外線で制御信号を送信するために、赤外線発光部（図示せず）を有している。赤外線発光部は例えば赤外線を発する発光ダイオード（ＬＥＤ）等で構成される。ただし、リモコン側通信部５０は、リモコン４０から制御信号を送信できればよく、赤外線発光部とは異なる送信部で構成されていてもよい。
【００５９】
（３）機能構成
本実施形態に係る空気調和装置１０は、アドレス確認処理を行うことができる。つまり、本実施形態に係る空気調和装置１０は、空調室内ユニット２０のアドレスと、リモコン４０のアドレスとが一致しているか、あるいは不一致であるかのアドレス判定を行う。そして、本実施形態に係る空気調和装置１０は、アドレス判定の結果、アドレスが不一致の場合には報知する。このようなアドレス確認処理を行うための空気調和装置１０の機能構成について説明する。
【００６０】
図４は、空気調和装置１０のアドレス確認処理を行うための機能構成を示すブロック図である。なお、各空気調和装置１０ａ、空気調和装置１０ｂ・・・は同一の構成であるため、１つの空気調和装置１０について説明する。まず、リモコン４０の機能構成について説明する。
【００６１】
（３−１）リモコン４０
リモコン４０は、リモコン側操作部４１、ＭＰＵ４２、メモリ４３及びリモコン側通信部５０等を含む。リモコン側操作部４１及びリモコン側通信部５０は上述した通りであるので、ＭＰＵ４２及びメモリ４３の機能構成について説明する。
【００６２】
ＭＰＵ４２は、制御信号生成部７０及びアドレス設定部７１を有する。メモリ４３は、アドレス記憶部８１を有している。
【００６３】
（ａ）制御信号生成部７０
制御信号生成部７０は、リモコン側操作部４１が使用者から空調室内ユニット２０に対する操作を受け付けると、操作内容に応じた制御信号を生成する。空調室内ユニット２０に対する操作としては、例えば温度、風量及び風向等の空調処理のための操作、アドレス確認処理のための操作、故障診断処理のための操作等が挙げられる。
【００６４】
制御信号生成部７０は、制御信号を生成するにあたって、後述のアドレス記憶部８１からリモコン４０に設定されたアドレスを読み出す。そして、制御信号生成部７０は、リモコン側操作部４１の操作に応じたコマンドと、リモコン４０のアドレスとを含む制御信号を生成する。
【００６５】
制御信号に含まれるコマンドとしては、空調処理に関するコマンド、アドレス確認処理のためのコマンド及び故障診断処理のためのコマンド等が挙げられる。例えば、使用者は、空調室内ユニット２０に所望の空調処理を行わせたい場合、リモコン側操作部４１の所定の選択キーを操作する。この場合、制御信号に含まれるコマンドは、空調処理に関するコマンドである。また、使用者がアドレス確認用操作部４５を操作した場合、制御信号に含まれるコマンドはアドレス確認処理のためのコマンドである。また、使用者が故障診断用操作部４６を操作した場合、制御信号に含まれるコマンドはアドレス確認処理のためのコマンド及び故障診断処理のためのコマンドである。
【００６６】
また、制御信号に含まれるアドレスは、制御信号を送信するリモコン４０のアドレスである。例えば、リモコン４０ａに“アドレス１”が設定されている場合には、リモコン４０ａからの制御信号には“アドレス１”が含まれる。ここで、互いに対応付けられた空調室内ユニット２０ａ及びリモコン４０ａには、同一のアドレスとして“アドレス１”が設定されている。空調室内ユニット２０ａはリモコン４０ａからの制御信号を受信すると、自己のアドレスと同一の“アドレス１”が含まれていると判断する。これにより、空調室内ユニット２０ａは、リモコン４０ａからの制御信号に基づいて制御される。
【００６７】
（ｂ）アドレス設定部７１
アドレス設定部７１は、使用者がリモコン４０のアドレス設定操作部４４を操作した場合、アドレス設定の処理を開始する。
【００６８】
具体的に、使用者がリモコン側操作部４１のアドレス設定操作部４４を介して、アドレスを設定するための操作を入力したとする。例えば、リモコン４０ａ及び空調室内ユニット２０ａに“アドレス１”を設定する操作を、使用者がアドレス設定操作部４４から入力したとする。アドレス設定部７１ａは、この操作に基づいて、リモコン４０ａのアドレス記憶部８１ａに“アドレス１”を格納する。これにより、リモコン４０ａに“アドレス１”が設定される。さらに、アドレス設定部７１ａは、空調室内ユニット２０ａに“アドレス１”を設定するための制御信号を生成し、リモコン側通信部５０ａを介して送信する。アドレスを設定するための制御信号には、例えば、アドレス設定のためのコマンド及び“アドレス１”等の所定のアドレスが含まれる。空調室内ユニット２０ａのアドレス設定部６１ａは、室内機側通信部３０ａを介して前記制御信号を受信する。アドレス設定部６１ａは、例えば発光部３３ａを点滅させてアドレス設定中であることを報知する。例えば、発光部３３ａの所定の点滅期間の間に室内機側操作部３１ａが操作されると、アドレス設定部６１ａは、制御信号に基づいて、空調室内ユニット２０ａのアドレス記憶部８０ａに“アドレス１”を格納する。これにより、空調室内ユニット２０ａに“アドレス１”が設定される。これにより、リモコン４０ａ及び空調室内ユニット２０ａに同一の“アドレス１”が設定される。
【００６９】
なお、例えば発光部３３ａの点滅中、つまりアドレス設定中に使用者が室内機側操作部３１ａを操作しない場合、空調室内ユニット２０ａのアドレスは、デフォルト値のままとなる。この場合、リモコン４０ａのアドレスと空調室内ユニット２０ａのアドレスとが不一致となり得る。
【００７０】
（ｃ）アドレス記憶部８１
アドレス記憶部８１は、アドレス設定部７１によってリモコン４０に設定されたアドレスを記憶する。例えば、リモコン４０ａに対して“アドレス１”が設定された場合、リモコン４０ａのアドレス記憶部８１ａは、“アドレス１”を記憶する。一方、リモコン４０ｂに対して“アドレス２”が設定された場合、リモコン４０ｂのアドレス記憶部８１ｂは、“アドレス２”を記憶する。
【００７１】
（３−２）空調室内ユニット２０
次に、空調室内ユニット２０の機能構成について説明する。
【００７２】
空調室内ユニット２０は、ＭＰＵ２２、メモリ２３、室内機側通信部３０及び室内機側操作部３１等を含む。室内機側通信部３０及び室内機側操作部３１は上述した通りであるので、ＭＰＵ２２及びメモリ２３の機能構成について説明する。
【００７３】
ＭＰＵ２２は、アドレス設定部６１、アドレス判定部６２、報知部６３及び各種処理実行部６４を有している。メモリ２３は、アドレス記憶部８０を有している。
【００７４】
（ａ）アドレス設定部６１
アドレス設定部６１は、リモコン４０から室内機側通信部３０を介して、アドレス設定のためのコマンド及び所定のアドレスを含む制御信号を受信する。例えば、空調室内ユニット２０ａのアドレス設定部６１ａは、リモコン４０ａから空調室内ユニット２０ａに“アドレス１”を設定するための制御信号を受信する。なお、リモコン４０ａには“アドレス１”が設定されている。このとき、制御信号には、アドレス設定のためのコマンド及び“アドレス１”が含まれる。アドレス設定部６１ａは、例えば発光部３３ａを点滅させてアドレス設定中であることを報知する。例えば、発光部３３ａの所定の点滅期間の間に室内機側操作部３１ａが操作されると、アドレス設定部６１ａは、制御信号に基づいて、空調室内ユニット２０のアドレス記憶部８０ａに“アドレス１”を格納する。これにより、空調室内ユニット２０ａに“アドレス１”が設定される。
【００７５】
（ｂ）アドレス判定部６２
アドレス判定部６２は、室内機側通信部３０を介して制御信号を受信する。制御信号には、空調室内ユニット２０に各種処理を行わせるためのコマンドと、リモコン４０のアドレスとが含まれる。空調室内ユニット２０のアドレス判定部６２は、この制御信号を受信すると、アドレス判定を開始する。つまり、アドレス判定部６２は、空調室内ユニット２０のアドレスとリモコン４０のアドレスとの一致及び不一致を判定する。具体的には、アドレス判定部６２は、リモコン４０からの制御信号に含まれるリモコン４０のアドレスを読み出す。また、アドレス判定部６２は、アドレス記憶部８０から空調室内ユニット２０のアドレスを読み出す。アドレス判定部６２は、これらのアドレスを比較してアドレス判定を行う。
【００７６】
さらに、アドレス判定部６２は、アドレス判定の結果と、制御信号に含まれるコマンドに基づいて処理を行う。
【００７７】
具体的には、アドレスが一致しており、制御信号に空調処理に関するコマンドが含まれる場合には、アドレス判定部６２は各種処理実行部６４に空調処理に関するコマンドを送信する。これにより、各種処理実行部６４は、コマンドに基づいて温度、風量及び風向等の空調処理を行う。また、アドレス判定部６２は報知部６３にアドレスの一致を通知する。
【００７８】
また、アドレスが不一致であり、制御信号に空調処理に関するコマンドが含まれる場合には、アドレス判定部６２は処理を終了する。これにより、アドレスが一致しないリモコン４０からの制御信号によっては、空調室内ユニット２０は制御されない。
【００７９】
また、アドレスが不一致であり、制御信号にアドレス確認処理のためのコマンドが含まれる場合には、アドレス判定部６２は報知部６３にアドレスが不一致であることを通知する。一方、アドレスが一致しており、制御信号にアドレス確認処理のためのコマンドが含まれる場合には、アドレス判定部６２は報知部６３にアドレスの一致を通知し、処理を終了する。なお、使用者がアドレス確認用操作部４５又は故障診断用操作部４６を操作した場合、制御信号にアドレス確認処理のためのコマンドが含まれる。
【００８０】
（ｃ）報知部６３
（ｉ）アドレス確認処理におけるアドレス不一致の報知
アドレスが不一致であり、制御信号にアドレス確認処理のためのコマンドが含まれる場合には、報知部６３は、アドレス判定部６２からアドレスが不一致であるとの判定結果を受信する。この場合、報知部６３は使用者に対して報知する。報知部６３は、例えば発光部３３を点滅させることにより、空調室内ユニット２０のアドレスとリモコン４０のアドレスとが不一致であることを報知する。
【００８１】
例えば、リモコン４０ｂに“アドレス２”が設定されており、空調室内ユニット２０ａに“アドレス１”が設定されているとする。ここで、リモコン４０ｂから空調室内ユニット２０ａに、アドレス確認処理のためのコマンド及びリモコン４０ｂのアドレスを含む制御信号が送信されたとする。空調室内ユニット２０ａのアドレス判定部６２ａは、制御信号からリモコン４０ｂのアドレスとして“アドレス２”を読み出す。また、アドレス判定部６２ａは、アドレス記憶部８０から空調室内ユニット２０ａのアドレスとして“アドレス１”を読み出す。これに基づいて、アドレス判定部６２ａは、空調室内ユニット２０ａの“アドレス１”とリモコン４０ｂの“アドレス２”とが不一致であると判定する。よって、空調室内ユニット２０ａの報知部６３ａは、発光部３３ａを点滅させてアドレスが不一致であることを報知する。室内に複数台の空調室内ユニット２０が設置されている場合に、発光部３３ａの点滅に基づいて、使用者は、空調室内ユニット２０ａのアドレスが、操作したリモコン４０ｂのアドレスと不一致であることを目視で確認できる。
【００８２】
報知部６３が音によりアドレスの不一致を報知する場合には、どの空調室内ユニット２０から音が出力されているのか判断し難い場合がある。しかし、発光部３３の点滅を目視で確認できるため、どの空調室内ユニット２０と、操作したリモコン４０とのアドレスが不一致であるのかを容易に確認できる。
【００８３】
ただし、報知部６３による報知の方法としては、発光部３３による点滅による報知に限定されない。例えば、報知部６３は、図示しない表示部における映像に基づいてアドレスの不一致を報知してもよい。また、例えば、報知部６３は、例えばスピーカ３２からの音に基づいてアドレスの不一致を報知してもよい。
【００８４】
また、報知部６３は、アドレスが不一致の場合には、例えば音声及び映像等によってアドレス再設定の通知を行ってもよい。
【００８５】
（ｉｉ）アドレス一致の報知
報知部６３は、アドレス判定部６２からアドレスが一致しているとの判定結果を受信する。報知部６３は、スピーカ３２から音を出力することで、アドレスが一致していることを報知する。スピーカ３２からの音としては、例えば通常の起動音、アドレスの一致を知らせる音声等挙げられる。しかし、報知部６３による報知の方法としては、音に限定されない。例えば、報知部６３は、アドレスが不一致の場合とは異なるように発光部３３を点灯することによって、アドレスの一致を報知してもよい。また、報知部６３は、図示しない表示部における映像に基づいてアドレスの一致を報知してもよい。
【００８６】
（ｄ）各種処理実行部６４
各種処理実行部６４は、アドレスが一致する場合に、アドレス判定部６２からコマンドを受信する。コマンドとしては、空調室内ユニット２０での空調処理に関連するコマンド及び故障診断処理のためのコマンド等が挙げられる。各種処理実行部６４は、例えば空調処理に関連するコマンドを受信すると、空調室内ユニット２０を制御して温度、風量及び風向等を制御する。また、各種処理実行部６４は、例えば故障診断処理のためのコマンドを受信すると、空調室内ユニット２０の故障箇所等を診断する故障診断処理を行う。
【００８７】
（ｅ）アドレス記憶部８０
アドレス記憶部８０は、アドレス設定部６１によって空調室内ユニット２０に設定されたアドレスを記憶する。例えば、空調室内ユニット２０ａに対して“アドレス１”が設定された場合、空調室内ユニット２０ａのアドレス記憶部８０ａは、“アドレス１”を記憶する。一方、空調室内ユニット２０ｂに対して“アドレス２”が設定された場合、空調室内ユニット２０ｂのアドレス記憶部８０ｂは、“アドレス２”を記憶する。
【００８８】
（４）処理の流れ
図５は、本実施形態に係る空気調和装置１０の処理の流れの一例を示すフローチャートである。
【００８９】
ステップＳ１：アドレス判定部６２は、室内機側通信部３０介して、リモコン４０からの制御信号を受信する。この制御信号には、空調室内ユニット２０に各種処理を行わせるためのコマンドと、リモコン４０のアドレスとが含まれる
ステップＳ２：アドレス判定部６２は、制御信号を受信すると、空調室内ユニット２０のアドレスとリモコン４０のアドレスとの一致及び不一致を判定する。
【００９０】
ステップＳ３、Ｓ４：アドレスが一致しており（ステップＳ２のＹｅｓ）、制御信号に空調処理に関するコマンド及び故障診断処理のためのコマンド等が含まれるとする。この場合には、アドレス判定部６２は、報知部６３にアドレスの一致を通知し（ステップＳ３）、各種処理実行部６４に空調処理に関するコマンド及び故障診断処理のためのコマンド等を送信する（ステップＳ４）。報知部６３は、アドレス判定部６２からアドレスが一致しているとの判定結果を受信する。報知部６３は、例えばスピーカ３２から音を出力することで、アドレスが一致していることを報知する（ステップＳ３）。また、各種処理実行部６４は、アドレス判定部６２から空調処理に関するコマンド及び故障診断処理のためのコマンド等を受信する。各種処理実行部６４は、コマンドに基づいて空調室内ユニット２０を制御する（ステップＳ４）。
【００９１】
また、アドレスが一致しており、制御信号にアドレス確認処理のためのコマンドが含まれる場合には（ステップＳ２のＹｅｓ）、アドレス判定部６２は報知部６３にアドレスの一致を通知し（ステップＳ３）、処理を終了する。この場合、報知部６３は、アドレス判定部６２からアドレスが一致しているとの判定結果を受信する。報知部６３は、例えばスピーカ３２から音を出力することで、アドレスが一致していることを報知する（ステップＳ３）。
【００９２】
ステップＳ５、Ｓ６：アドレスが不一致であり（ステップＳ２のＮｏ）、制御信号にアドレス確認処理のためのコマンドが含まれる場合には（ステップＳ５のＹｅｓ）、アドレス判定部６２は報知部６３にアドレスが不一致であることを通知する（ステップＳ６）。アドレス確認処理のためのコマンドは、使用者がアドレス確認用操作部４５及び故障診断用操作部４６を操作した場合に、制御信号に含まれる。報知部６３は、例えば発光部３３を点滅させることにより、リモコン４０のアドレスと空調室内ユニット２０のアドレスとが不一致であることを報知する。
【００９３】
また、アドレスが不一致であり（ステップＳ２のＮｏ）、制御信号に空調処理に関するコマンドが含まれる場合には（ステップＳ５のＮｏ）、アドレス判定部６２は処理を終了する。これにより、アドレスが一致しないリモコン４０からの制御信号によっては、空調室内ユニット２０は制御されない。
【００９４】
上記処理によれば、アドレス判定部６２は、空調室内ユニット２０のアドレスとリモコン４０のアドレスとの一致及び不一致を判定する。空調室内ユニット２０のアドレスとリモコン４０のアドレスとが不一致の場合には、報知部６３により報知が行われる。よって、空気調和装置１０の使用者は、報知に基づいて、空調室内ユニット２０のアドレスとリモコン４０のアドレスとが不一致であることを確認することができる。
【００９５】
なお、上記処理の流れにおいて、ステップＳ３、Ｓ４は順不同であってもよい。
【００９６】
（５）特徴
（５−１）
上記空気調和装置１０では、アドレス設定部６１、７１と、アドレス判定部６２と、報知部６３と、が設けられている。アドレス設定部６１、７１は、空調室内ユニット２０のアドレス及びリモコン４０のアドレスを設定する。アドレス判定部６２は、空調室内ユニット２０のアドレスとリモコン４０のアドレスとの一致及び不一致を判定する。報知部６３は、判定の結果、不一致の場合に報知する。
【００９７】
このように、空気調和装置１０には、空調室内ユニット２０のアドレスとリモコン４０のアドレスとの一致及び不一致を判定するアドレス判定部６２が設けられている。そして、空調室内ユニット２０のアドレスとリモコン４０のアドレスとが不一致の場合には、報知部６３により報知が行われる。よって、空気調和装置１０の使用者は、報知に基づいて、空調室内ユニット２０のアドレスとリモコン４０のアドレスとが不一致であることを確認することができる。逆に、報知部６３が不一致であるとの報知を行わない場合には、使用者は、空調室内ユニット２０のアドレスとリモコン４０のアドレスとが一致していることを確認することができる。あるいは、報知部６３が一致しているとの報知を行う場合には、使用者はアドレスの一致を確認することができる。
【００９８】
例えば、使用者がリモコン４０を操作して空調室内ユニット２０に信号を送信したものの、空調室内ユニット２０が作動しない場合がある。このような場合でも、単に空調室内ユニット２０のアドレスとリモコン４０のアドレスとが一致しておらず、空調室内ユニット２０が信号を処理しないだけの場合がある。上記空気調和装置１０によれば、使用者は、空調室内ユニット２０及び／又はリモコン４０の故障であると即座に判断してしまう前に、空調室内ユニット２０のアドレスとリモコン４０のアドレスとが一致しているか、不一致であるかを確認することができる。よって、空調室内ユニット２０のアドレスとリモコン４０のアドレスとの不一致によって空調室内ユニット２０が作動しない場合において、故障と誤認されて空調室内ユニット２０及び／又はリモコン４０が返品等されるのを抑制できる。ひいては、空調室内ユニット２０及び／又はリモコン４０の回収費用、点検費用等に係るコスト（不良品発生に対するコスト）を抑制できる。
【００９９】
（５−２）
上記空気調和装置１０では、アドレス確認用操作部４５を備える。報知部６３は、アドレス確認用操作部４５が操作を受け付け、アドレス判定部６２での判定の結果、不一致の場合に報知する。
【０１００】
この空気調和装置１０には、アドレス確認用操作部４５が設けられている。使用者がアドレス確認用操作部４５を操作すれば、報知部６３は、空調室内ユニット２０のアドレスとリモコン４０のアドレスとが不一致の場合に報知する。よって、使用者は、報知に基づいて、アドレスの一致及び不一致を確認することができる。
【０１０１】
また、上記空気調和装置１０では、アドレスの一致及び不一致を確認するため専用の操作部として、アドレス確認用操作部４５が設けられている。そのため、使用者がリモコン４０を操作しても空調室内ユニット２０が作動しない場合、アドレス確認用操作部４５の存在によって使用者はまずはアドレスの一致及び不一致を確認する行動を促進される。言い換えれば、アドレス確認用操作部４５の存在によって、使用者は空調室内ユニット２０のアドレスとリモコン４０のアドレスとが不一致である可能性を気づかされる。そして、アドレス確認用操作部４５の操作によって、使用者は、空調室内ユニット２０のアドレスとリモコン４０のアドレスとの不一致によって空調室内ユニット２０が作動しないのかどうかを確認できる。結果として、単なるアドレスの不一致を故障と誤認することによって、空調室内ユニット２０及び／又はリモコン４０が返品等されるのを抑制できる。
【０１０２】
（５−３）
上記空気調和装置１０では、空調室内ユニット２０の故障診断を開始するための故障診断用操作部４６を備える。報知部６３は、故障診断用操作部４６が操作を受け付け、アドレス判定部６２での判定の結果、不一致の場合に報知する。
【０１０３】
この空気調和装置１０の故障診断用操作部４６は、空調室内ユニット２０の故障診断を開始させるためだけでなく、アドレスが不一致の場合に報知させるためにも用いられる。つまり、故障診断用操作部４６は、故障診断の開始機能及びアドレス不一致を報知する処理の開始機能の２つの機能を兼ね備えている。
【０１０４】
例えば、使用者がリモコン４０を操作して空調室内ユニット２０に信号を送信したものの、空調室内ユニット２０が作動しない場合がある。このような場合、使用者は、一般的に空調室内ユニット２０及び／又はリモコン４０が故障していると判断する。よって、使用者は、故障診断用操作部４６を操作する傾向にある。上記空気調和装置１０では、使用者が故障診断用操作部４６を操作すれば、報知部６３は、空調室内ユニット２０のアドレスとリモコン４０のアドレスとが不一致の場合に報知する。よって、使用者は、報知に基づいて、アドレスの一致及び不一致を確認することができる。このように故障診断用操作部４６にアドレスの一致及び不一致の確認の機能を付加することで、故障と判断して故障診断用操作部４６を操作した場合でも、まずは使用者にアドレスの一致及び不一致を確認させることができる。結果として、単なるアドレスの不一致を故障と誤認して、空調室内ユニット２０及び／又はリモコン４０が返品等されるのを抑制できる。
【０１０５】
（５−４）
上記空気調和装置１０では、報知部６３は、判定の結果、一致する場合には報知しない。
【０１０６】
空調室内ユニット２０のアドレスとリモコン４０のアドレスとが一致している場合には、報知部６３は報知しない。そして、空調室内ユニット２０は、操作された操作部からの信号に応じて所定の処理を実行する。アドレスが一致している場合には報知が行われないため、使用者に違和感を感じさせることなく空調室内ユニット２０に所定の処理を実行させることができる。
【０１０７】
（５−５）
上記空気調和装置１０では、アドレスの不一致を報知部６３に報知させるための信号以外の通常の信号を、空調室内ユニット２０が受信した場合には、報知部６３は報知しない。
【０１０８】
上記空気調和装置１０が通常の信号を受信すると、報知部６３は報知を行わない。つまり、アドレスの一致・不一致を確認するための操作を使用者から受け付けた場合において、アドレスが不一致の場合にのみ報知が行われる。よって、アドレス確認を予定していない使用者に、不要な報知を行って違和感を感じさせるのを抑制できる。
【０１０９】
（５−６）
上記空気調和装置１０では、アドレス判定部６２は、使用者の操作に基づく制御信号をリモコン４０から受け付けると、判定を開始する。
【０１１０】
アドレス判定部６２は、リモコン４０における使用者の操作に基づいて、空調室内ユニット２０のアドレスとリモコン４０のアドレスとが一致しているか及び不一致であるかを判定する。そして、報知部６３はアドレスが不一致の場合には使用者に報知を行う。よって、使用者は、リモコン４０からの簡単な操作によって、アドレスの一致及び不一致を容易に確認することができる。
【０１１１】
（５−７）
上記空気調和装置１０では、アドレス判定部６２及び報知部６３は、空調室内ユニット２０に設けられている。
【０１１２】
空調室内ユニット２０にアドレス判定部６２及び報知部６３が設けられていることで、空調室内ユニット２０が、アドレスの一致及び不一致を判定し、不一致の場合には報知を行う。よって、アドレスの判定、判定結果の報知部６３への送信及び報知部６３での報知という一連の処理を空調室内ユニット２０単体の中で完結できる。
【０１１３】
（５−８）
上記空気調和装置１０では、リモコン４０には、リモコン４０のアドレスを含む制御信号を生成する制御信号生成部７０が設けられている。
【０１１４】
制御信号生成部７０は、リモコン４０のアドレスを含む制御信号を生成する。リモコン４０は、制御信号を空調室内ユニット２０に送信する。よって、空調室内ユニット２０のアドレス判定部６２は、リモコン４０の制御信号からリモコン４０のアドレスを抽出し、空調室内ユニット２０のアドレスとリモコン４０のアドレスとを比較することができる。
【０１１５】
（５−９）
上記空気調和装置１０では、アドレス設定部６１、７１は、空調室内ユニット２０に対してアドレスを設定するアドレス設定部６１と、リモコン４０に対してアドレスを設定する第２アドレス設定部を含む。アドレス設定部６１は空調室内ユニット２０に設けられている。第２アドレス設定部７１はリモコン４０に設けられている。
【０１１６】
このように、空調室内ユニット２０及びリモコン４０それぞれにアドレスを設定するための設定部が設けられていてもよい。
【０１１７】
（６）変形例
（６−１）変形例１Ａ
上記実施形態では、アドレス確認処理を行わせるための操作部として、アドレス確認用操作部４５及び故障診断用操作部４６が設けられている。しかし、アドレス確認処理を行わせるための操作部は、これらに限定されない。リモコン４０に設けられたその他の操作部の組み合わせによってアドレス確認処理が開始されてもよい。例えば、リモコン４０の複数の操作部を同時に押す操作、リモコン４０の複数の操作部を所定の順序に押す操作等によってアドレス確認処理が開始されていてもよい。
【０１１８】
（６−２）変形例１Ｂ
上記実施形態では、アドレス確認用操作部４５又は故障診断用操作部４６が操作されると、アドレス確認処理が行われる。しかし、使用者がリモコン４０のいずれかの操作部を操作すると、常にアドレス確認処理が行われてもよい。例えば、使用者がアドレス確認用操作部４５及び故障診断用操作部４６以外の操作部を操作しても、常にアドレス確認処理が行われてもよい。この場合、アドレス確認用操作部は必ずしも必要ではない。
【０１１９】
（６−３）変形例１Ｃ
上記実施形態では、アドレス判定の結果、空調室内ユニット２０のアドレスとリモコン４０のアドレスとが一致している場合は、報知部６３はスピーカ３２から起動音などの音を出力する。
【０１２０】
しかし、アドレスが一致している場合の報知は、音に限られず光、映像、空調室内ユニット２０の所定の動作などによって行われてもよい。
【０１２１】
さらには、アドレスが一致している場合、報知部６３は必ずしも報知する必要はない。つまり、アドレス判定部６２は報知部６３にアドレスの一致を通知する必要はない。例えば、制御信号に空調処理に関するコマンドが含まれる場合に、アドレス判定部６２はアドレスが一致していることを報知部６３に報知する必要はない。具体的には、前述の図５においてステップＳ３は省略されてもよい。使用者は、リモコン４０の操作に基づいて空調室内ユニット２０が所望の動作を開始することによって、アドレスが一致していることを確認できる。これにより、アドレス確認を予定していない使用者に、不要な報知を行って違和感を感じさせるのを抑制できる。
【０１２２】
同様に、アドレス確認処理の場合に、アドレス判定部６２はアドレスが一致していることを報知部６３に報知する必要はない。つまり、アドレスが一致しており、制御信号にアドレス確認処理のためのコマンドが含まれる場合には、アドレス判定部６２は処理を終了する。具体的には、前述の図５においてステップＳ３は省略されてもよい。この場合、使用者は、アドレス確認処理のためにリモコン４０を操作した場合に、報知がされないことをもってアドレスが一致していることを確認できる。
【０１２３】
（６−４）変形例１Ｄ
上記実施形態では、図４に示すようにアドレス判定部６２は空調室内ユニット２０に設けられている。しかし、アドレス判定部は、リモコン４０に設けられてもよい。この場合、リモコン４０の制御信号生成部７０は、リモコン側操作部４１の操作に応じたコマンドを含む制御信号を生成する。そして、空調室内ユニット２０の各種処理実行部６４は、前記制御信号を受信すると、アドレス記憶部８０内の空調室内ユニット２０のアドレスを読み出し、リモコン４０のアドレス判定部に送信する。アドレス判定部は、空調室内ユニット２０のアドレスと、自己のリモコン４０のアドレスとを比較する。リモコン４０のアドレス判定部は、空調室内ユニット２０の報知部６３に判定結果を送信し、判定結果に応じて各種処理実行部６４にコマンドを送信する。以降の処理は上記実施形態と同様である。
【０１２４】
また、上記実施形態では、図４に示すように報知部６３は空調室内ユニット２０に設けられている。しかし、報知部はリモコン４０に設けられてもよい。この場合、リモコン４０の制御信号生成部７０は、リモコン側操作部４１の操作に応じたコマンドと、リモコン４０のアドレスとを含む制御信号を生成する。空調室内ユニット２０のアドレス判定部６２は、前記制御信号を受信すると、空調室内ユニット２０のアドレスと、リモコン４０のアドレスとを比較する。空調室内ユニット２０のアドレス判定部６２は、リモコン４０の報知部に判定結果を送信する。リモコン４０の報知部は、音、光及び映像等によって、アドレスの一致及び／又は不一致を報知する。また、空調室内ユニット２０のアドレス判定部６２は、判定結果に応じて、各種処理実行部６４にコマンドを送信する。各種処理実行部６４は、コマンドに基づいて空調室内ユニット２０を制御する。
【０１２５】
また、上記実施形態では、図４に示すようにアドレス判定部６２及び報知部６３は空調室内ユニット２０に設けられている。しかし、アドレス判定部及び報知部は、リモコン４０に設けられてもよい。この場合、リモコン４０の制御信号生成部７０は、リモコン側操作部４１の操作に応じたコマンドを含む制御信号を生成し、空調室内ユニット２０に送信する。空調室内ユニット２０の各種処理実行部６４は前記制御信号を受信する。各種処理実行部６４は、制御信号に基づいて、アドレス記憶部８０内の空調室内ユニット２０のアドレスを読み出し、リモコン４０のアドレス判定部に送信する。リモコンのアドレス判定部は、空調室内ユニット２０のアドレスと、自己のリモコン４０のアドレスとを比較する。リモコン４０のアドレス判定部は、リモコン４０の報知部に判定結果を送信する。また、リモコン４０の報知部は、判定結果に応じて、空調室内ユニット２０の各種処理実行部６４にコマンドを含む制御信号を送信する。リモコン４０の報知部は、音、光及び映像等によって、アドレスの一致及び／又は不一致を報知する。また、空調室内ユニット２０の各種処理実行部６４は、コマンドに基づいて空調室内ユニット２０を制御する。
【０１２６】
また、上記実施形態では、図４に示すように、空調室内ユニット２０にアドレス設定部６１が設けられ、リモコン４０にアドレス設定部７１が設けられている。しかし、アドレス設定部は、空調室内ユニット２０又はリモコン４０のいずれか一方にのみ設けられていてもよい。この場合、いずれか一方のアドレス設定部が、空調室内ユニット２０のアドレス設定及びリモコン４０のアドレス設定を行う。
【０１２７】
（６−５）変形例１Ｅ
上記実施形態では、リモコン４０のリモコン側操作部４１の操作によって、リモコン４０及び空調室内ユニット２０のアドレスが設定される。しかし、リモコン４０及び空調室内ユニット２０にアドレスが設定されればよく、リモコン４０及び空調室内ユニット２０へのアドレス設定方法は上記実施形態に限定されない。例えば、リモコン４０及び空調室内ユニット２０それぞれにおいて、別個にアドレスが設定されてもよい。例えば、使用者がリモコン側操作部４１を介して、リモコン４０に所定のアドレスを設定するための操作を入力したとする。リモコン４０のアドレス設定部７１は、所定のアドレスをアドレス記憶部８１に格納する。一方、使用者が室内機側操作部３１を介して、空調室内ユニット２０に所定のアドレスを設定するための操作を入力したとする。空調室内ユニット２０のアドレス設定部６１は、所定のアドレスをアドレス記憶部８０に格納する。これにより、リモコン４０及び空調室内ユニット２０は、独立にアドレスを設定可能である。
【０１２８】
（６−６）変形例１Ｆ
上記実施形態では、空調室内ユニット２０は、リモコン４０から制御信号を受信する。つまり、空調室内ユニット２０とリモコン４０との間の通信は、一方向通信である。しかし、空調室内ユニット２０とリモコン４０との間の通信は、双方向通信であってもよい。
【０１２９】
（６−７）変形例１Ｇ
上記実施形態では、複数組のリモコン及び空調室内ユニットを例に挙げている。しかし、１組のリモコン及び空調室内ユニットにおいても本発明を適用可能である。
【符号の説明】
【０１３０】
１０          空気調和装置
２０          空調室内ユニット
４０          リモコン
４５          アドレス確認用操作部
４６          故障診断用操作部
６１、７１    アドレス設定部
６２          アドレス判定部
６３          報知部
【先行技術文献】
【特許文献】
【０１３１】
【特許文献１】特開平６−８８６４１号公報
【図１】
0006304134.tif 000002
【図２】
0006304134.tif 000003
【図３】
0006304134.tif 000004
【図４】
0006304134.tif 000005
【図５】
0006304134.tif 000006